(57)【要約】【課題】  受信品質が変動する場合であっても、高感度な受信品質を維持させる。【解決手段】  受信品質測定部１２は放送波受信部１１により受信された放送波の受信品質を測定し、受信品質情報受信部１３は自機の周辺に存在する他の携帯電話機において受信された放送波の受信品質情報を受信する。配信要求送信部１５は、受信品質判定部１４によって受信品質情報に含まれる受信品質のうちいずれかの受信品質が自機の受信品質よりも高いと判定された場合に、最も高い受信品質を送信した他の携帯電話機に対して、放送情報の配信を要求する配信要求を送信する。放送情報受信部１６は配信要求に応じて配信された放送情報を受信し、映像再生部１７は受信された放送情報に基づいて表示装置に表示させる映像を再生する。【選択図】  図２
2006211423.tif 000002
【特許請求の範囲】
【請求項１】
自端末において受信された放送波の受信品質および自端末の周辺に存在する一または複数の他端末において受信された放送波の受信品質に応じて、前記他端末において受信された放送波に対応する放送情報の配信を要求する配信要求を前記他端末に送信する配信要求送信手段と、
前記配信要求に応じて配信された放送情報を受信する配信放送情報受信手段と、
を備えることを特徴とする移動通信端末。
【請求項２】
放送波を受信する放送波受信手段と、
前記放送波受信手段により受信された放送波の受信品質である自端末受信品質を測定する自端末受信品質測定手段と、
前記他端末において受信された放送波の受信品質である他端末受信品質を、前記他端末から受信する他端末受信品質受信手段と、
前記他端末受信品質受信手段により受信された一または複数の前記他端末受信品質が、前記自端末受信品質測定手段により測定された前記自端末受信品質よりも高いか否かを判定する判定手段と、をさらに備え、
前記配信要求送信手段は、前記判定手段により、前記他端末受信品質のうちいずれかの他端末受信品質が前記自端末受信品質よりも高いと判定された場合に、前記他端末受信品質のうち最も高い他端末受信品質を送信した前記他端末に対して、前記配信要求を送信することを特徴とする請求項１記載の移動通信端末。
【請求項３】
前記配信放送情報受信手段により受信された放送情報に基づいて、表示装置に表示させる映像を再生する映像再生手段を、さらに備えることを特徴とする請求項２記載の移動通信端末。
【請求項４】
前記配信放送情報受信手段により受信された放送情報を、記憶装置に記憶させる記憶手段を、さらに備えることを特徴とする請求項２記載の移動通信端末。
【請求項５】
放送波を受信する放送波受信手段と、
前記放送波受信手段により受信された放送波の受信品質である自端末受信品質を測定する自端末受信品質測定手段と、
前記他端末において受信された放送波の受信品質である他端末受信品質を、前記他端末から受信する他端末受信品質受信手段と、
前記自端末受信品質測定手段により測定された前記自端末受信品質が、所定の基準値以下である場合に、前記他端末受信品質受信手段により受信された一または複数の前記他端末受信品質が、前記所定の基準値よりも高いか否かを判定する判定手段と、
前記放送波受信手段により受信された放送波と前記配信放送情報受信手段により受信された放送情報に含まれる放送波とを合成する放送波合成手段と、をさらに備え、
前記配信要求送信手段は、前記判定手段により、前記他端末受信品質のうちいずれかの他端末受信品質が前記所定の基準値よりも高いと判定された場合に、前記所定の基準値よりも高い前記他端末受信品質を送信した前記他端末に対して、前記配信要求を送信することを特徴とする請求項１記載の移動通信端末。
【請求項６】
前記放送波合成手段は、
前記放送波受信手段により受信された放送波に対応する伝送情報に基づいて、欠損したデータの位置を検出する検出手段と、
前記検出手段により検出された前記欠損したデータの位置に基づいて、前記配信放送情報受信手段により受信された放送情報に対応する伝送情報から、前記欠損したデータに対応するデータを抽出する抽出手段と、
前記検出手段により検出された前記欠損したデータの位置に、前記抽出手段により抽出されたデータを組み込むことによって、前記合成信号を生成する合成信号生成手段と、
を含んで構成されることを特徴とする請求項５記載の移動通信端末。
【請求項７】
前記放送波合成手段により合成された合成信号に基づいて、表示装置に表示させる映像を再生する映像再生手段を、さらに備えることを特徴とする請求項５または６に記載の移動通信端末。
【請求項８】
前記放送波合成手段により合成された合成信号を、記憶装置に記憶させる記憶手段を、さらに備えることを特徴とする請求項５または６に記載の移動通信端末。
【請求項９】
自移動通信端末において受信された放送波の受信品質および自移動通信端末の周辺に存在する一または複数の他移動通信端末において受信された放送波の受信品質に応じて、前記他移動通信端末において受信された放送波に対応する放送情報の配信を要求する配信要求を前記他移動通信端末に送信する配信要求送信ステップと、
前記配信要求に応じて配信された放送情報を受信する配信放送情報受信ステップと、
を備えることを特徴とする放送情報受信方法。
【発明の詳細な説明】
【技術分野】
【０００１】
本発明は、移動通信端末および放送情報受信方法に関する。
【背景技術】
【０００２】
携帯電話機に代表される最近の移動通信端末には、テレビ機能が搭載された機種が開発されている。したがって、テレビ機能が搭載された移動通信端末を所持していれば、外出して移動中であってもテレビ視聴が可能になった。
【０００３】
ここで、下記特許文献１には、デジタル放送システムに関する技術が開示されている。具体的には、デジタル放送の送信端末が、伝送信号の周波数領域を分割することにより設けられた複数の階層に対してデジタル放送データを多重に割り当てて送信し、デジタル放送の受信端末が、各階層を介して受信したデジタル放送データの中から電力値のより大きなデジタル放送データを選択し、この選択したデジタル放送データの信号処理を行う技術が開示されている。また、下記特許文献２には、衛星放送システムに関する技術が開示されている。具体的には、受信装置における受信品質および位置情報に基づいて、放送衛星からの発信電波の強度を制御する技術が開示されている。
【特許文献１】特開２００３−３０４５１０号公報
【特許文献２】特開２００３−８７２０９号公報
【発明の開示】
【発明が解決しようとする課題】
【０００４】
ところで、上述したテレビ機能が搭載された移動通信端末では、移動通信端末単体でデジタル放送を受信しているため、移動通信端末が存在する位置によって放送波の受信品質の変動が大きいという問題がある。また、各特許文献に開示されている受信端末は、固定端末であるため、受信端末が移動した場合に発生する受信品質の変動を防止するための技術についてまでは開示されていない。
【０００５】
そこで、本発明は、上述した課題を解決するために、受信品質が変動する場合であっても、高感度な受信品質を維持させることができる移動通信端末および放送情報受信方法を提供することを目的とする。
【課題を解決するための手段】
【０００６】
本発明の移動通信端末は、自端末において受信された放送波の受信品質および自端末の周辺に存在する一または複数の他端末において受信された放送波の受信品質に応じて、他端末において受信された放送波に対応する放送情報の配信を要求する配信要求を他端末に送信する配信要求送信手段と、配信要求に応じて配信された放送情報を受信する配信放送情報受信手段と、を備えることを特徴とする。
【０００７】
また、本発明の放送情報受信方法は、自移動通信端末において受信された放送波の受信品質および自移動通信端末の周辺に存在する一または複数の他移動通信端末において受信された放送波の受信品質に応じて、他移動通信端末において受信された放送波に対応する放送情報の配信を要求する配信要求を他移動通信端末に送信する配信要求送信ステップと、配信要求に応じて配信された放送情報を受信する配信放送情報受信ステップと、を備えることを特徴とする。
【０００８】
これらの発明によれば、配信要求送信手段によって、自端末および自端末の周辺に存在する他端末における受信品質に応じて、他端末において受信された放送波に対応する放送情報の配信を要求する配信要求が当該他端末に対して送信され、配信放送情報受信手段によって、当該配信要求に応じて他端末から配信された放送情報が受信される。したがって、例えば、自端末における受信品質が変動して低くなったとしても、受信品質の高い他端末において受信された放送波に対応する放送情報を受信することが可能となるため、高感度な受信品質を維持させることができる。
【０００９】
本発明の移動通信端末において、放送波を受信する放送波受信手段と、放送波受信手段により受信された放送波の受信品質である自端末受信品質を測定する自端末受信品質測定手段と、他端末において受信された放送波の受信品質である他端末受信品質を、他端末から受信する他端末受信品質受信手段と、他端末受信品質受信手段により受信された一または複数の他端末受信品質が、自端末受信品質測定手段により測定された自端末受信品質よりも高いか否かを判定する判定手段と、をさらに備え、配信要求送信手段は、判定手段により、他端末受信品質のうちいずれかの他端末受信品質が自端末受信品質よりも高いと判定された場合に、他端末受信品質のうち最も高い他端末受信品質を送信した他端末に対して、配信要求を送信することが好ましい。
【００１０】
このようにすれば、判定手段によって、他端末受信品質受信手段により受信された一または複数の他端末受信品質が、自端末受信品質測定手段により測定された自端末受信品質よりも高いか否かが判定される。したがって、配信要求送信手段は、判定手段によって、他端末受信品質のうちいずれかの他端末受信品質が自端末受信品質よりも高いと判定された場合に、他端末受信品質のうち最も高い他端末受信品質を送信した他端末に対して、配信要求を送信することができる。それゆえ、自端末における受信品質が変動して低くなったとしても、自端末の周辺に存在する他端末のうち、受信品質が最も高い他端末において受信された放送波に対応する放送情報を受信させることができるため、高感度な受信品質を維持させることができる。
【００１１】
本発明の移動通信端末において、配信放送情報受信手段により受信された放送情報に基づいて、表示装置に表示させる映像を再生する映像再生手段を、さらに備えることが好ましい。
【００１２】
このようにすれば、映像再生手段によって、他端末から配信された放送情報に基づいて、表示装置に表示させる映像が再生される。したがって、例えば、自端末における受信品質が変動して低くなったとしても、受信品質の高い他端末において受信された放送波に対応する放送情報を受信して、この放送情報に基づいて映像を再生させることが可能となるため、高感度な受信品質を維持して映像を再生させることができる。
【００１３】
また、配信放送情報受信手段により受信された放送情報を、記憶装置に記憶させる記憶手段を、さらに備えることが好ましい。
【００１４】
このようにすれば、記憶手段によって記憶された放送情報に基づいて、外部の表示装置に映像を再生させることが可能となる。したがって、例えば、自端末における受信品質が変動して低くなったとしても、受信品質の高い他端末において受信された放送波に対応する放送情報を記憶させることができるため、この記憶した放送情報に基づいて外部で映像を再生させることが可能となり、ひいては高感度な受信品質を維持して映像を再生させることが可能となる。
【００１５】
本発明の移動通信端末において、放送波を受信する放送波受信手段と、放送波受信手段により受信された放送波の受信品質である自端末受信品質を測定する自端末受信品質測定手段と、他端末において受信された放送波の受信品質である他端末受信品質を、他端末から受信する他端末受信品質受信手段と、自端末受信品質測定手段により測定された自端末受信品質が、所定の基準値以下である場合に、他端末受信品質受信手段により受信された一または複数の他端末受信品質が、所定の基準値よりも高いか否かを判定する判定手段と、をさらに備え、配信要求送信手段は、判定手段により、他端末受信品質のうちいずれかの他端末受信品質が所定の基準値よりも高いと判定された場合に、所定の基準値よりも高い他端末受信品質を送信した他端末に対して、配信要求を送信することが好ましい。
【００１６】
このようにすれば、判定手段によって、自端末受信品質測定手段により測定された自端末受信品質が、所定の基準値以下である場合に、他端末受信品質受信手段により受信された一または複数の他端末受信品質が、所定の基準値よりも高いか否かが判定される。したがって、配信要求送信手段は、判定手段によって、他端末受信品質のうちいずれかの他端末受信品質が所定の基準値よりも高いと判定された場合に、所定の基準値よりも高い他端末受信品質を送信した他端末に対して、配信要求を送信することができる。また、放送波合成手段によって、放送波受信手段により受信された放送波と配信放送情報受信手段により受信された放送情報に含まれる放送波とが合成される。それゆえ、自端末における受信品質が変動して基準値よりも低くなったとしても、自端末の周辺に存在する他端末のうち、受信品質が基準値よりも高い他端末において受信された放送波に対応する放送情報と、自端末において受信された放送波とを合成させることができるため、高感度な受信品質を維持させることができる。
【００１７】
本発明の移動通信端末において、放送波合成手段は、放送波受信手段により受信された放送波に対応する伝送情報に基づいて、欠損したデータの位置を検出する検出手段と、検出手段により検出された欠損したデータの位置に基づいて、配信放送情報受信手段により受信された放送情報に対応する伝送情報から、欠損したデータに対応するデータを抽出する抽出手段と、検出手段により検出された欠損したデータの位置に、抽出手段により抽出されたデータを組み込むことによって、合成信号を生成する合成信号生成手段と、を含んで構成されることが好ましい。
【００１８】
このようにすれば、検出手段によって、放送波受信手段により受信された放送波に対応する伝送情報に基づいて、欠損したデータの位置が検出され、抽出手段によって、検出手段により検出された欠損したデータの位置に基づいて、配信放送情報受信手段により受信された放送情報に対応する欠損情報から、欠損したデータに対応するデータが抽出され、合成信号生成手段によって、検出手段により検出された欠損したデータの位置に、抽出手段により抽出されたデータを組み込まれて合成信号が生成される。それゆえ、自端末において受信された放送波に対応する伝送情報に欠損データが存在する場合であっても、受信品質が基準値よりも高い他端末において受信された放送波に対応する伝送情報から抽出されたデータを用いて合成信号を生成することができるため、高感度な受信品質を維持させることができる。
【００１９】
本発明の移動通信端末において、放送波合成手段により合成された合成信号に基づいて、表示装置に表示させる映像を再生する映像再生手段を、さらに備えることが好ましい。
【００２０】
このようにすれば、映像再生手段によって、放送波合成手段により合成された合成信号に基づいて、表示装置に表示させる映像が再生される。したがって、例えば、自端末における受信品質が変動して低くなったとしても、受信品質の高い他端末において受信された放送波に対応する放送情報を受信して、この放送情報と自端末において受信された放送波とに基づいて映像を再生させることが可能となるため、高感度な受信品質を維持して映像を再生させることができる。
【００２１】
また、放送波合成手段により合成された合成信号を、記憶装置に記憶させる記憶手段を、さらに備えることが好ましい。
【００２２】
このようにすれば、記憶手段によって、記憶された合成信号に基づいて、外部の表示装置に映像を再生させることが可能となる。したがって、例えば、自端末における受信品質が変動して低くなったとしても、受信品質の高い他端末において受信された放送波と自端末において受信された放送波との合成信号を記憶させることができるため、この記憶した合成信号に基づいて映像を再生させることが可能となり、ひいては高感度な受信品質を維持して映像を再生させることが可能となる。
【発明の効果】
【００２３】
本発明に係る移動通信端末および放送情報受信方法によれば、受信品質が変動する場合であっても、高感度な受信品質を維持させることができる。
【発明を実施するための最良の形態】
【００２４】
以下、本発明に係る移動通信端末、および放送情報受信方法の実施形態を図面に基づき説明する。なお、各図において、同一要素には同一符号を付して重複する説明を省略する。
【００２５】
[第１実施形態]
まず、本発明の第１実施形態について説明する。図１に示すように、第１実施形態における携帯電話機１０は、異なる位置に存在する各携帯電話機１０間において、放送波の受信品質を相互に交換し合い、受信品質が最良となる携帯電話機１０で受信された放送波を各携帯電話機１０で共用する点に特徴がある。以下においては、このような特徴を有する携帯電話機１０について説明する。なお、図１には、複数の携帯電話機１０Ａ，１０Ｂ，１０Ｃが図示されているが、これらの各携帯電話機は同一の機能を有する。ただし、各携帯電話機を、自機と他機とに区別して説明する場合には、説明の便宜のため、携帯電話機１０Ａを自機（自端末）とし、この自機の周辺に存在する他の携帯電話機１０Ｂおよび携帯電話機１０Ｃを他機（他端末）として説明することにする。また、放送波としては、例えば、地上デジタル放送による放送波、衛星デジタル放送による放送波、有線デジタル放送による放送波等があるが、本願発明は、いずれの放送波にも適用可能である。また、再生するコンテンツとしては、例えば、映像、音声、データ等があるが、本願発明は、いずれのコンテンツを再生する場合にも適用可能である。以下においては、それらの一例として、地上デジタル放送による放送波に基づいて映像を再生する場合について説明する。
【００２６】
携帯電話機１０は、自機が在圏する無線エリアをカバーする基地局（不図示）と無線通信を行い、通話サービスあるいはパケット通信サービスを受ける移動通信端末である。また、携帯電話機１０には、テレビ機能が搭載されているとともに、例えば、ブルートゥース、ＩｒＤＡ（Infrared Data Association）またはＨｏｍｅＲＦ（Home Radio Frequency）等に対応した近距離無線通信機能が搭載されている。本実施形態においては、近距離無線通信機能としてブルートゥースを用いた場合について例示して説明するが、これは近距離無線通信機能をブルートゥースに限定するものではない。
【００２７】
次に、図２を参照して、携帯電話機１０の機能構成について説明する。図２に示すように、携帯電話機１０は、自機で受信された放送波や他機で受信された放送波に基づいて映像を表示させる受信側機能１０１と、自機で受信された放送波を他機に配信する送信側機能１０２とに大別される。
【００２８】
受信側機能１０１は、放送波受信部１１（放送波受信手段）と、受信品質測定部１２（自端末受信品質測定手段）と、受信品質情報受信部１３（他端末受信品質受信手段）と、受信品質判定部１４（判定手段）と、配信要求送信部１５（配信要求送信手段）と、放送情報受信部１６（配信放送情報受信手段）と、映像再生部１７（映像再生手段）とを有する。また、送信側機能１０２は、他機存在確認部２１と、受信品質情報送信部２２と、配信要求受信部２３と、通信速度算出部２４と、放送情報配信部２５とを有する。
【００２９】
放送波受信部１１は、テレビ放送局から送出された放送波を、テレビアンテナ（不図示）を介して受信する。
【００３０】
受信品質測定部１２は、放送波受信部１１により受信された放送波の受信品質（自端末受信品質）を測定する。ここで、図３を参照して、受信品質測定部１２において、受信品質が測定される仕組みについて説明する。まず、受信品質測定部１２は、ＡＲＩＢ規格に準拠したデジタルＴＶ放送チューナのフロントエンド部ＦＥから出力された信号のコンスタレーションを測定し、この測定した信号をＢＥＲ（Bit Error Rate）に換算する。本実施形態においては、このＢＥＲの値（例えば、15.00dB）を受信品質として用いる。なお、受信品質は、例えば、１[ｓ]周期で出力され、更新される。また、フロントエンド部ＦＥには、例えば、ＩＦ回路、Ａ／Ｄ回路、直交復調回路、ＦＦＴ回路、周波数デインタリーブ回路、時間デインタリーブ回路、デマップ回路、ビットデインタリーブ回路、ビタビ復号回路、バイトデインタリーブ回路、エネルギー逆拡散回路、ＴＳ再生回路およびＲＳ復号回路が含まれる。
【００３１】
図２に示す受信品質情報受信部１３は、自機の周辺に存在する他の携帯電話機から送信された受信品質情報を受信する。受信品質情報には、他の携帯電話機において受信された放送波の受信品質（他端末受信品質）に関する情報が含まれる。
【００３２】
受信品質判定部１４は、受信品質情報受信部１３により受信された一または複数の受信品質情報に含まれる受信品質が、受信品質測定部１２により測定された受信品質よりも高いか否かを判定する。
【００３３】
配信要求送信部１５は、受信品質判定部１４によって、受信品質情報に含まれる受信品質のうちのいずれかの受信品質が、受信品質測定部１２により測定された受信品質よりも高いと判定された場合に、受信品質情報に含まれる受信品質のうち最も高い受信品質を送信した他の携帯電話機に対して、当該他の携帯電話機で受信された放送波に対応する放送情報の配信を要求するための配信要求を送信する。すなわち、配信要求送信部１５は、自機周辺に存在する携帯電話機１０のうち、受信品質が最良の携帯電話機に対して、配信要求を送信する。
【００３４】
放送情報受信部１６は、配信要求に応じて、他の携帯電話機からブルートゥース機能を用いて配信された放送情報を受信する。この放送情報には、他の携帯電話機で受信された放送波に関する情報が含まれる。
【００３５】
映像再生部１７は、放送波受信部１１により受信された放送波、または放送情報受信部１６により受信された放送情報に基づいて、表示画面（表示装置）に表示させる映像を再生する。
【００３６】
他機存在確認部２１は、ブルートゥース機能を用いて自機周辺に存在する他の携帯電話機を検出する。
【００３７】
受信品質情報送信部２２は、受信品質測定部１２により測定された受信品質を含む受信品質情報を、ブルートゥース機能を用いて自機周辺に存在する他の携帯電話機に送信する。ここで、自機周辺とは、ブルートゥースにより通信可能な無線エリア内をいう。すなわち、上述した近距離無線通信機能により通信可能な無線エリア内をいう。
【００３８】
配信要求受信部２３は、受信品質情報を送信した他の携帯電話機から、放送情報を配信するように要求する配信要求を受信する。
【００３９】
通信速度算出部２４は、放送情報の配信先となる携帯電話機に対する通信速度を算出する。通信速度算出部２４は、通信速度に基づいて最適なフレームレートを決定する。
【００４０】
放送情報配信部２５は、通信速度算出部２４により決定されたフレームレートによって、ブルートゥース機能を用いて放送情報を配信する。
【００４１】
次に、図４〜図８を参照して、第１実施形態における携帯電話機１０の動作について説明する。図４は、テレビ視聴処理の概要動作を説明するためのフローチャートであり、図５は、テレビ視聴処理の一部である受信品質測定処理を説明するためのフローチャートであり、図６は、テレビ視聴処理の一部である映像再生処理を説明するためのフローチャートである。図７は、テレビ視聴処理の一部である放送情報配信処理を説明するためのフローチャートであり、図８は、放送情報配信処理の一部である通信速度算出処理を説明するためのシーケンスチャートである。なお、テレビ視聴処理のうち、受信品質測定処理および映像再生処理は、携帯電話機１０の受信側機能１０１により実現される処理であり、放送情報配信処理は、携帯電話機１０の送信側機能１０２により実現される処理である。
【００４２】
最初に、図４を参照して、テレビ視聴処理の概要動作について説明する。まず、ユーザの操作指示にしたがって、テレビ視聴機能の開始要求が送出されると（ステップＳ１）、この開始要求がテレビ視聴制御部（不図示）に送信される。これにより、後述する受信品質測定処理、映像再生処理および放送情報配信処理が並行して実行されることになる（ステップＳ２）。なお、受信品質測定処理、映像再生処理および放送情報配信処理の各処理は、テレビ視聴が終了するまで継続して繰り返し実行される。テレビ視聴が終了する場合としては、例えば、ユーザの操作指示にしたがってテレビ視聴機能が強制的に停止させられる場合や、エラーの発生によりテレビ機能が停止してしまう場合等がある。
【００４３】
次に、図５を参照して、受信品質測定処理について説明する。まず、携帯電話機１０Ａの放送波受信部１１は、テレビ放送局から送出された放送波を、テレビアンテナを介して受信する（ステップＳ１１）。次に、携帯電話機１０Ａの受信品質測定部１２は、放送波受信部１１により受信された放送波の受信品質を測定する（ステップＳ１２）。
【００４４】
次に、図６を参照して、映像再生処理について説明する。まず、携帯電話機１０Ａの受信品質情報受信部１３は、自機の周辺に存在する他の携帯電話機１０Ｂまたは１０Ｃから送信された受信品質情報を受信したか否かを判定する（ステップＳ２１）。この判定がＮＯである場合（ステップＳ２１；ＮＯ）に、処理は後述するステップＳ２７に移行する。
【００４５】
一方、ステップＳ２１における判定で、受信品質情報が受信されたと判定された場合（ステップＳ２１；ＹＥＳ）に、受信品質判定部１４は、受信品質情報受信部１３により受信された受信品質情報に含まれる受信品質が、受信品質測定部１２により測定された受信品質よりも高いか否かに基づいて、自機の受信品質が最良であるか否かを判定する（ステップＳ２２）。この判定がＹＥＳである場合（ステップＳ２２；ＹＥＳ）に、処理は後述するステップＳ２７に移行する。
【００４６】
一方、ステップＳ２２における判定で、他の携帯電話機の受信品質の方が良好であると判定された場合（ステップＳ２２；ＮＯ）に、配信要求送信部１５は、受信品質情報受信部１３により受信された受信品質情報に含まれる受信品質のうち、最も高い受信品質を送信した他の携帯電話機に対して、当該他の携帯電話機で受信された放送波に対応する放送情報の配信を要求する配信要求を送信する（ステップＳ２３）。
【００４７】
次に、放送情報受信部１６が、他の携帯電話機からブルートゥース機能を用いて配信された放送情報を受信すると（ステップＳ２４）、映像再生部１７は、放送情報受信部１６により受信された放送情報に基づいて映像を再生し（ステップＳ２５）、表示画面上に表示させる。すなわち、表示画面上には、受信品質が最良である他の携帯電話機において受信された放送波に対応する映像が表示される。
【００４８】
その後、受信品質測定部１２により測定されている受信品質が変動せず、かつ、受信品質情報受信部１３により新たな受信品質情報が受信されない（ステップＳ２６；ＮＯ）間は、上述したステップＳ２４およびステップＳ２５の処理を繰り返す。すなわち、受信品質が最良である他の携帯電話機において受信された放送波に対応する放送情報に基づいて映像を再生し、画面上に表示させる。
【００４９】
一方、受信品質測定部１２により測定されている受信品質が変動した場合、または、受信品質情報受信部１３により新たな受信品質情報が受信された場合（ステップＳ２６；ＹＥＳ）には、処理を上述したステップＳ２２に移行する。すなわち、再度、受信品質が最良である携帯電話機を判定することになる。
【００５０】
ここで、上述したステップＳ２１における判定で、受信品質情報が受信されないと判定された場合（ステップＳ２１；ＮＯ）および上述したステップＳ２２における判定で、自機の受信品質が最良であると判定された場合（ステップＳ２２；ＹＥＳ）には、放送情報受信部１６によって他の携帯電話機から放送情報が受信されている最中であるか否かを判定する（ステップＳ２７）。この判定がＮＯである場合（ステップＳ２７；ＮＯ）には、処理を後述するステップＳ２９に移行する。
【００５１】
一方、ステップＳ２７における判定で、放送情報が受信されている最中であると判定された場合（ステップＳ２７；ＹＥＳ）には、ブルートゥース機能を停止する（ステップＳ２８）。
【００５２】
次に、映像再生部１７は、放送波受信部１１により受信された放送波に基づいて映像を再生し（ステップＳ２９）、表示画面上に表示させる。すなわち、表示画面上には、受信品質が最良である自機において受信された放送波に対応する映像が表示される。
【００５３】
その後、受信品質測定部１２により測定されている受信品質が変動せず、かつ、受信品質情報受信部１３により新たな受信品質情報が受信されない（ステップＳ３０；ＮＯ）間は、上述したステップＳ２９の処理を繰り返す。すなわち、受信品質が最良である自機において受信された放送波に基づいて映像を再生し、画面上に表示させる。
【００５４】
一方、受信品質測定部１２により測定されている受信品質が変動した場合、または、受信品質情報受信部１３により新たな受信品質情報が受信された場合（ステップＳ３０；ＹＥＳ）には、処理を上述したステップＳ２２に移行する。すなわち、再度、受信品質が最良である携帯電話機を判定することになる。
【００５５】
次に、図７を参照して、放送情報配信処理について説明する。まず、携帯電話機１０Ａの他機存在確認部２１は、自機周辺に他の携帯電話機が存在するか否かを判定する（ステップＳ４１）。この判定がＮＯの場合（ステップＳ４１；ＮＯ）には、処理をステップＳ４１に移行する。すなわち、自機周辺に存在する他の携帯電話機が検出されるまでは、このステップＳ４１の処理が繰り返されることになる。
【００５６】
一方、ステップＳ４１における判定で、自機周辺に他の携帯電話機が存在すると判定された場合（ステップＳ４１；ＹＥＳ）に、受信品質情報送信部２２は、受信品質測定部１２により測定された受信品質を含む受信品質情報を、ブルートゥース機能を用いて自機周辺に存在する他の携帯電話機に送信する（ステップＳ４２）。
【００５７】
次に、配信要求受信部２３は、受信品質情報を送信した他の携帯電話機から配信要求を受信したか否かを判定する（ステップＳ４３）。この判定がＮＯである場合（ステップＳ４３；ＮＯ）には、処理を上述したステップＳ４１に移行する。
【００５８】
一方、ステップＳ４３における判定で、配信要求が受信されたと判定された場合（ステップＳ４３；ＹＥＳ）に、通信速度算出部２４は、配信要求を送信した他の携帯電話機との間で、後述する通信速度算出処理を実行する（ステップＳ４４）。
【００５９】
次に、放送情報配信部２５は、通信速度算出処理において決定されたフレームレートによって、ブルートゥース機能を用いて放送情報を配信する（ステップＳ４５）。放送情報配信部２５は、配信先である他の携帯電話機からブルートゥース停止要求を受信した場合（ステップＳ４６；ＹＥＳ）には、ブルートゥース機能を停止させて（ステップＳ４７）、処理を上述したステップＳ４１に移行する。
【００６０】
一方、放送情報配信部２５が、配信先である他の携帯電話機からブルートゥース停止要求を受信しない場合（ステップＳ４６；ＮＯ）であっても、受信品質測定部１２により測定されている受信品質が変動した場合（ステップＳ４８；ＹＥＳ）に、受信品質情報送信部２２は、受信品質測定部１２により測定された受信品質を含む受信品質情報を、ブルートゥース機能を用いて自機周辺に存在する他の携帯電話機に送信する（ステップＳ４９）。その後、放送情報配信部２５は、配信先である他の携帯電話機からブルートゥース停止要求を受信する（ステップＳ４６；ＹＥＳ）まで、ブルートゥース機能を用いた放送情報の配信を継続する（ステップＳ４５）。
【００６１】
次に、図８を参照して、通信速度算出処理（図７のステップＳ４４）について説明する。まず、放送情報を配信する側の携帯電話機は、放送情報を受信する側の携帯電話機に対して通信速度計測用のファイルを送信するとともに、送信時刻を記憶する（ステップＳ６１）。この通信速度計測用のファイルは、例えば、ファイルサイズが数Ｂ〜１ｋＢ程度のファイルであればよく、携帯電話機のメモリ内に予め登録しておくこととする。
【００６２】
放送情報を受信する側の携帯電話機は、通信速度計測用のファイルを受信した場合に、受領符号を返信する（ステップＳ６２）。
【００６３】
放送情報を配信する側の携帯電話機は、受信する側の携帯電話機から送信された受領符号を受信するとともに、受信時刻を記憶する（ステップＳ６３）。
【００６４】
配信する側の携帯電話機の通信速度算出部２４は、送信時刻、受信時刻、計測用ファイルのファイルサイズを用いて、以下に示す式１により、通信速度を算出する（ステップＳ６４）。
【００６５】
ファイルサイズ／（受信時刻−送信時刻）  ・・・  式１
【００６６】
また、通信速度算出部２４は、上記式１により算出した通信速度に基づいて最適なフレームレートを決定する。
【００６７】
以上のように、第１実施形態における携帯電話機１０によれば、受信品質判定部１４および配信要求送信部１５を備えることによって、受信品質判定部１４により他の携帯電話機における受信品質が自機の受信品質よりも高いと判定された場合に、最も高い受信品質を送信した他の携帯電話機に対して配信要求を送信することができる。また、映像再生部１７を備えることによって、配信要求に応じて他の携帯電話機から配信された放送情報に基づいて、表示装置に表示させる映像を再生することができる。したがって、自機における受信品質が変動して低くなったとしても、自機の周辺に存在する他の携帯電話機のうち、受信品質が最も高い他の携帯電話機において受信された放送波に対応する放送情報に基づいて映像を再生することができる。これにより、高感度な受信品質を維持して映像を再生させることができる。
【００６８】
[第２実施形態]
次に、本発明の第２実施形態について説明する。図１に示すように、第２実施形態における携帯電話機１０は、異なる位置に存在する各携帯電話機１０間において、放送波の受信品質を相互に交換し合い、これらの受信品質に応じて、自機で受信した放送波と他の携帯電話機で受信された放送波とを合成して映像化する点に特徴がある。すなわち、第１実施形態における携帯電話機１０では、受信品質が最良の携帯電話機で受信された放送波を用いて映像化しているのに対し、第２実施形態における携帯電話機１０では、自機で受信された放送波と他の携帯電話機で受信された放送波とを用いて映像化している点で相違する。以下においては、このような特徴を有する第２実施形態における携帯電話機１０について説明する。
【００６９】
まず、図９を参照して第２実施形態における携帯電話機１０の機能構成について説明する。図９に示すように、第２実施形態における携帯電話機１０は、放送波合成部１８（放送波合成手段）をさらに有している点で第１実施形態における携帯電話機１０の機能構成と異なる。また、放送波合成部１８をさらに備えることによって、受信品質判定部１４ｓ（判定手段）、配信要求送信部１５ｓ（配信要求送信手段）、および映像再生部１７ｓ（映像再生手段）の各部において実現される機能が、第１実施形態における受信品質判定部１４、配信要求送信部１５、および映像再生部１７の各部において実現される機能と異なる。したがって、それ以外の機能構成は、第１実施形態における携帯電話機１０の機能構成と同様であるので、各構成要素には同一の符合を付しその説明は省略すると共に、以下においては第１実施形態との相違点について詳述する。
【００７０】
受信品質判定部１４ｓは、受信品質測定部１２により測定された自機の受信品質が、所定の基準値以下であるか否かを判定する。受信品質判定部１４ｓは、受信品質測定部１２により測定された自機の受信品質が、所定の基準値以下であると判定した場合に、受信品質情報受信部１３により受信された一または複数の受信品質情報に含まれる受信品質が、所定の基準値よりも高いか否かを判定する。
【００７１】
配信要求送信部１５ｓは、受信品質判定部１４ｓにより、一または複数の受信品質情報に含まれる受信品質のうち、いずれかの受信品質が所定の基準値よりも高いと判定された場合に、所定の基準値よりも高い受信品質を送信した他の携帯電話機に対して、当該他の携帯電話機で受信された放送波に対応する放送情報の配信を要求するための配信要求を送信する。すなわち、配信要求送信部１５ｓは、自機周辺に存在する携帯電話機１０のうち、受信品質が所定の基準値を超えている携帯電話機１０に対して、配信要求を送信する。
【００７２】
放送波合成部１８は、放送波受信部１１により受信された放送波と、放送情報受信部１６により受信された放送情報に含まれる放送波とを合成する。この放送波合成部１８は、欠損位置検出部１８ａ（検出手段）と、パケット抽出部１８ｂ（抽出手段）と、合成信号生成部１８ｃ（合成信号生成手段）とを含んで構成される。
【００７３】
欠損位置検出部１８ａは、放送波受信部１１により受信された放送波に対応するパケット情報に基づいて、欠損したパケットの位置を検出する。
【００７４】
パケット抽出部１８ｂは、欠損位置検出部１８ａにより検出された欠損したパケットの位置に基づいて、放送情報受信部１６により受信された放送波に対応するパケット情報から、欠損したパケットに対応するパケットを抽出する。
【００７５】
合成信号生成部１８ｃは、欠損位置検出部１８ａにより検出された欠損したパケットの位置に、パケット抽出部１８ｂにより抽出されたパケットを組み込むことによって、合成信号を生成する。
【００７６】
ここで、図１０を参照して、放送波合成部１８の機能について具体的に説明する。図１０の（ａ）〜（ｃ）に示す模式図は、放送波を復調した後の信号であるＴＳ（Transport Stream）パケットにＲＳ符号（パリティビット）が付加された状態のデータを模式化したものである。図１０（ａ）は、自機で受信した放送波に対応するデータであり、図１０（ｂ）は、他の携帯電話機で受信された放送波に対応するデータであり、図１０（ｃ）は、図１０（ａ）に示すデータと図１０（ｂ）に示すデータとが合成された後のデータである。
【００７７】
まず、欠損位置検出部１８ａは、図１０（ａ）に示すＲＳ符号に基づいて、欠損パケットの位置Ｐ１，Ｐ２を検出する。次に、パケット抽出部１８ｂは、欠損位置検出部１８ａによって検出された欠損パケットの位置Ｐ１，Ｐ２に基づいて、図１０（ｂ）に示すＴＳパケットから、欠損パケットの位置Ｐ１，Ｐ２に対応するパケットの位置Ｐ３，Ｐ５を、パケットの抽出対象位置として検出するとともに、図１０（ｂ）に示すＲＳ符号に基づいて、欠損パケットの位置Ｐ４，Ｐ５を検出する。パケット抽出部１８ｂは、パケットの位置Ｐ３に格納されているパケットを抽出する。なお、パケット抽出部１８ｂは、抽出対象位置として検出したパケットの位置Ｐ３，Ｐ５のうち、欠損パケットの位置Ｐ５については抽出対象位置から除外する。次に、合成信号生成部１８ｃは、欠損位置検出部１８ａにより検出された欠損したパケットの位置Ｐ１に、パケット抽出部１８ｂにより抽出されたパケット（パケットの位置Ｐ３に格納されているパケット）を組み込むことによって、図１０（ｃ）に示す合成信号を生成する。なお、各ＴＳパケットは、ヘッダ部に含まれる時刻情報に基づいて同期がとられている。
【００７８】
図９に示す映像再生部１７ｓは、合成信号生成部１８ｃによって生成された合成信号に基づいて、表示画面に表示させる映像を再生する。すなわち、自機において受信された放送波および放送情報受信部１６により受信された放送情報に含まれる放送波に基づいて、映像を再生する。
【００７９】
次に第２実施形態における携帯電話機１０の動作について説明する。ここで、第１実施形態において説明した図４〜図８に示す各動作のうち、図４に示すテレビ視聴処理の概要動作、図５に示す受信品質測定処理における動作、図７に示す放送情報配信処理における動作、および図８に示す通信速度算出処理における動作については、第２実施形態における携帯電話機１０においても同様に動作するため、これらの説明は省略する。以下においては、第１実施形態における動作とは異なる映像再生処理における動作について詳述する。
【００８０】
図１１を参照して、第２実施形態における映像再生処理について説明する。まず、携帯電話機１０Ａの受信品質情報受信部１３は、自機の周辺に存在する他の携帯電話機１０Ｂまたは１０Ｃから送信された受信品質情報を受信したか否かを判定する（ステップＳ５１）。この判定がＮＯである場合（ステップＳ５１；ＮＯ）に、処理は後述するステップＳ５９に移行する。
【００８１】
一方、ステップＳ５１における判定で、受信品質情報が受信されたと判定された場合（ステップＳ５１；ＹＥＳ）に、受信品質判定部１４ｓは、受信品質測定部１２により測定された自機の受信品質が、所定の基準値以下であるか否かを判定する（ステップＳ５２）。この判定がＮＯである場合（ステップＳ５２；ＮＯ）に、処理は後述するステップＳ５９に移行する。
【００８２】
一方、ステップＳ５２における判定で、自機の受信品質が、所定の基準値以下であると判定された場合（ステップＳ５２；ＹＥＳ）に、受信品質判定部１４ｓは、受信品質情報受信部１３により受信された一または複数の受信品質情報に含まれる受信品質が、所定の基準値よりも高いか否かを判定する（ステップＳ５３）。この判定がＮＯである場合（ステップＳ５３；ＮＯ）に、処理は後述するステップＳ５９に移行する。
【００８３】
一方、ステップＳ５３における判定で、一または複数の受信品質情報に含まれる受信品質のうち、いずれかの受信品質が所定の基準値よりも高いと判定された場合（ステップＳ５３；ＹＥＳ）に、配信要求送信部１５ｓは、所定の基準値よりも高い受信品質を送信した他の携帯電話機に対して、当該他の携帯電話機で受信された放送波に対応する放送情報の配信を要求するための配信要求を送信する（ステップＳ５４）。
【００８４】
次に、放送情報受信部１６が、他の携帯電話機からブルートゥース機能を用いて配信された放送情報を受信すると（ステップＳ５５）、放送波合成部１８は、後述する合成信号生成処理を実行する（ステップＳ５６）。
【００８５】
次に、映像再生部１７は、放送波合成部１８により生成された合成信号に基づいて映像を再生し（ステップＳ５７）、表示画面上に表示させる。すなわち、表示画面上には、放送波受信部１１により受信された放送波と、放送情報受信部１６により受信された放送情報に含まれる放送波とが合成された信号に対応する映像が表示される。
【００８６】
その後、受信品質測定部１２により測定されている受信品質が変動せず、かつ、受信品質情報受信部１３により新たな受信品質情報が受信されない（ステップＳ５８；ＮＯ）間は、上述したステップＳ５５〜ステップＳ５７までの処理を繰り返す。すなわち、合成信号に基づいて映像を再生し、画面上に表示させる。
【００８７】
一方、受信品質測定部１２により測定されている受信品質が変動した場合、または、受信品質情報受信部１３により新たな受信品質情報が受信された場合（ステップＳ５８；ＹＥＳ）には、処理を上述したステップＳ５２に移行する。すなわち、再度、受信品質が基準値以下であるか否かを判定することになる。
【００８８】
ここで、上述したステップＳ５１における判定で、受信品質情報が受信されないと判定された場合（ステップＳ５１；ＮＯ）、上述したステップＳ５２における判定で、自機の受信品質が、所定の基準値よりも高いと判定された場合（ステップＳ５２；ＮＯ）、および上述したステップＳ５３における判定で、一または複数の受信品質情報に含まれる受信品質が、所定の基準値以下であると判定された場合（ステップＳ５３；ＮＯ）には、放送情報受信部１６によって他の携帯電話機から放送情報が受信されている最中であるか否かを判定する（ステップＳ５９）。この判定がＮＯである場合（ステップＳ５９；ＮＯ）には、処理を後述するステップＳ６１に移行する。
【００８９】
一方、ステップＳ５９における判定で、放送情報が受信されている最中であると判定された場合（ステップＳ５９；ＹＥＳ）には、ブルートゥース機能を停止する（ステップＳ６０）。
【００９０】
次に、映像再生部１７ｓは、放送波受信部１１により受信された放送波に基づいて映像を再生し（ステップＳ６１）、表示画面上に表示させる。すなわち、表示画面上には、自機において受信された放送波に対応する映像が表示される。
【００９１】
その後、受信品質測定部１２により測定されている受信品質が変動せず、かつ、受信品質情報受信部１３により新たな受信品質情報が受信されない（ステップＳ６２；ＮＯ）間は、上述したステップＳ６１の処理を繰り返す。すなわち、自機において受信された放送波に基づいて映像を再生し、画面上に表示させる。
【００９２】
一方、受信品質測定部１２により測定されている受信品質が変動した場合、または、受信品質情報受信部１３により新たな受信品質情報が受信された場合（ステップＳ６２；ＹＥＳ）には、処理を上述したステップＳ５２に移行する。すなわち、再度、受信品質が基準値以下であるか否かを判定することになる。
【００９３】
次に、図１２を参照して、合成信号生成処理（図１１のステップＳ５６）について説明する。まず、欠損位置検出部１８ａは、放送波受信部１１により受信された放送波に対応するＲＳ符号に基づいて、欠損パケットの位置を検出する（ステップＳ７１）。
【００９４】
次に、パケット抽出部１８ｂは、受信品質情報受信部１３により受信された受信品質情報に対応するＴＳパケットから、欠損位置検出部１８ａによって検出された欠損パケットの位置に対応する位置に格納されているパケットを抽出する（ステップＳ７２）。
【００９５】
次に、合成信号生成部１８ｃは、欠損位置検出部１８ａにより検出された欠損したパケットの位置に、パケット抽出部１８ｂにより抽出されたパケットを組み込むことによって、合成信号を生成する（ステップＳ７３）。
【００９６】
以上のように、第２実施形態における携帯電話機１０によれば、受信品質判定部１４ｓおよび配信要求送信部１５ｓを備えることによって、受信品質判定部１４ｓにより、自機の受信品質が基準値よりも低く、かつ、他の携帯電話機における受信品質が基準値よりも高いと判定された場合に、基準値よりも高い受信品質を送信した他の携帯電話機に対して配信要求を送信することができる。また、放送波合成部１８および映像再生部１７ｓを備えることによって、配信要求に応じて他の携帯電話機から配信された放送情報と自機において受信された放送波とに基づいて合成信号を生成し、この合成信号に基づいて表示装置に表示させる映像を再生することができる。したがって、自機における受信品質が変動して低くなったとしても、自機の周辺に存在する他の携帯電話機のうち、受信品質が基準値よりも高い他の携帯電話機において受信された放送波と自機において受信された放送波とを合成した合成信号に基づいて映像を再生することができる。
【００９７】
また、放送波合成部１８が、欠損位置検出部１８ａ、パケット抽出部１８ｂおよび合成信号生成部１８ｃを含んで構成されることにより、自機において受信された放送波に対応するパケット情報に基づいて、欠損したパケットの位置が検出され、この欠損したパケットの位置に基づいて、放送情報に対応するパケット情報から欠損したパケットに対応するパケットが抽出され、上記欠損したパケットの位置に、抽出されたパケットを組み込むことにより合成信号が生成される。したがって、自機において受信された放送波に対応するパケット情報に欠損パケットが存在する場合であっても、受信品質が基準値よりも高い他の携帯電話機において受信された放送波に対応するパケット情報から抽出されたパケットを用いて合成信号が生成されるため、高感度な受信品質を維持して映像を再生させることができる。
【００９８】
なお、上述した第２実施形態における放送波合成部１８は、誤り検出や訂正処理をパケット単位で行っているが、必ずしもパケット単位で行う必要はない。例えば、ブロック単位やビット単位で行ってもよい。すなわち、誤り検出・訂正処理は、伝送されてきた伝送情報に対して所定の単位で行えばよい。したがって、欠損位置検出部１８ａは、放送波受信部１１により受信された放送波に対応する伝送情報に基づいて、欠損したデータの位置を検出し、パケット抽出部１８ｂは、欠損位置検出部１８ａにより検出された欠損したデータの位置に基づいて、放送情報受信部１６により受信された放送波に対応する伝送情報から、欠損したデータに対応するデータを抽出し、合成信号生成部１８ｃは、欠損位置検出部１８ａにより検出された欠損したデータの位置に、パケット抽出部１８ｂにより抽出されたデータを組み込むことによって、合成信号を生成すればよい。
【００９９】
また、上述した各実施形態における携帯電話機１０は、映像再生機能である映像再生部１７，１７ｓを備えているが、必ずしも映像再生部１７，１７ｓを備える必要はない。例えば、映像再生部１７，１７ｓの替わりに映像録画機能である記憶部（記憶手段）を備えることとしてもよい。また、映像再生部１７，１７ｓと記憶部の双方を備えることとしてもよい。記憶部を備える場合に、記憶部は、放送情報受信部１６により受信された放送情報、または、放送波合成部１８により合成された合成信号を、携帯電話機１０の外部または内部にある記憶装置に記憶させる。これにより、例えば、自機における受信品質が変動して低くなったとしても、受信品質の高い他の携帯電話機において受信された放送波に対応する放送情報を記憶させることや、受信品質の高い他の携帯電話機において受信された放送波と自機において受信された放送波との合成信号を記憶させることができる。したがって、この記憶された放送情報または合成信号に基づいて映像を再生させることが可能となるため、高感度な受信品質を維持して映像を再生させることが可能となる。
【０１００】
また、上述した各実施形態においては、移動通信端末の具体例として携帯電話機１０を用いて説明しているが、移動通信端末の具体例はこれに限られず、例えば、簡易型携帯電話機（ＰＨＳ）や通信機能を有する携帯型情報端末（ＰＤＡ）等の移動通信端末であってもよい。また、本発明が適用される端末は、移動通信端末に限られず、例えば、固定テレビやカーナビ等の映像音声提示端末であってもよい。
【０１０１】
また、上述した各実施形態においては、携帯電話機間でデータの送受信を行う際に、近距離無線通信機能を用いているが、これに限られず、例えば、ＩＥＥＥ８０２．１１ｂ等に対応した無線ＬＡＮ機能を用いてデータの送受信を行うこととしてもよい。
【図面の簡単な説明】
【０１０２】
【図１】発明の実施形態における携帯電話機の状態を示す図である。
【図２】第１実施形態における携帯電話機の機能構成を示すブロック図である。
【図３】受信品質が測定される仕組みを説明するためのブロック図である。
【図４】テレビ視聴処理の概要動作を説明するためのフローチャートである。
【図５】受信品質測定処理を説明するためのフローチャートである。
【図６】第１実施形態における映像再生処理を説明するためのフローチャートである。
【図７】放送情報配信処理を説明するためのフローチャートである。
【図８】通信速度算出処理を説明するためのシーケンスチャートである。
【図９】第２実施形態における携帯電話機の機能構成を示すブロック図である。
【図１０】ＴＳパケットにＲＳ符号が付加された状態のデータを模式化した図である。
【図１１】第２実施形態における映像再生処理について説明するためのフローチャートである。
【図１２】合成信号生成処理について説明するためのフローチャートである。
【符号の説明】
【０１０３】
１０，１０Ａ，１０Ｂ，１０Ｃ・・・携帯電話機、１１・・・放送波受信部、１２・・・受信品質測定部、１３・・・受信品質情報受信部、１４，１４ｓ・・・受信品質判定部、１５，１５ｓ・・・配信要求送信部、１６・・・放送情報受信部、１７，１７ｓ・・・映像再生部、１８・・・放送波合成部、１８ａ・・・欠損位置検出部、１８ｂ・・・パケット抽出部、１８ｃ・・・合成信号生成部、２１・・・他機存在確認部、２２・・・受信品質情報送信部、２３・・・配信要求受信部、２４・・・通信速度算出部、２５・・・放送情報配信部、１０１・・・受信側機能、１０２・・・送信側機能。
【図１】
2006211423.tif 000003
【図２】
2006211423.tif 000004
【図３】
2006211423.tif 000005
【図４】
2006211423.tif 000006
【図５】
2006211423.tif 000007
【図６】
2006211423.tif 000008
【図７】
2006211423.tif 000009
【図８】
2006211423.tif 000010
【図９】
2006211423.tif 000011
【図１０】
2006211423.tif 000012
【図１１】
2006211423.tif 000013
【図１２】
2006211423.tif 000014